(57)【要約】【課題】シンプルな構成で開閉天板と内側天板との間に保冷体を収納するスペースを極めて容易に確保出来る箱を提供する。【解決手段】開閉天板を有する直方体形状の紙箱において、開閉天板３は紙箱Ａの後側板２の上端縁から折り目を介して一体に設け、前側板５の上端縁から折り目を介して内側天板６を一体に設け、内側天板６は紙箱本体の開口部を閉塞自在とし、また、開口部を塞いだ当該開口部に係止される構造と内側天板６に複数の切り込み１０ａを設け、内側天板６により紙箱本体の開口部を閉塞して開口部に係止し、この内側天板６上に保冷体Ｂを載せ、この上から開閉天板３を紙箱本体に被せて固定した際、開閉天板３の押圧により、保冷体Ｂが押されて内側天板６の切り込み１０ａを拡げて下方へ撓り、開閉天板３と内側天板６との間に保冷体収納スペースを形成する。【選択図】図１
0003140488.tif 000002
【実用新案登録請求の範囲】
【請求項１】
開閉蓋を有する直方体形状の箱において、
前記箱本体の一側板の上端縁から折り目を介して内側天板を一体に設け、
当該内側天板は箱本体の開口部を閉塞自在とし、また、前記開口部を塞いだ際、当該開口部に係止される構造とし、当該内側天板に複数の切り込みを設け、
当該内側天板により箱本体の開口部を閉塞して開口部に係止し、この内側天板上に保冷体を載せ、この上から前記開閉蓋を箱本体に被せて固定した際、当該開閉蓋の押圧により、前記保冷体が押されて前記内側天板の切り込みを拡げて下方へ撓り、前記開閉蓋と内側天板との間に保冷体収納スペースを形成することを特徴とする、保冷体収納スペース付箱。
【請求項２】
前記開閉蓋は箱本体の他側板の上端縁から折り目を介して一体に設けられていることを特徴とする、前記請求項１に記載の保冷体収納スペース付箱。
【請求項３】
前記開閉蓋は箱本体と別体に設けられていることを特徴とする、前記請求項１に記載の保冷体収納スペース付箱。
【請求項４】
前記内側天板の複数の切り込みを交差させて設けたことを特徴とする、前記請求項１、２又は３の何れかに記載の保冷体収納スペース付箱。
【請求項５】
前記内側天板の略中央に四角形状の透孔を設け、当該透孔の各角部の頂点に切り込みを入れたことを特徴とする、前記請求項１、２、３又は４の何れかに記載の保冷体収納スペース付箱。
【考案の詳細な説明】
【技術分野】
【０００１】
この考案は、洋菓子店等において、菓子やその他の食品等の持ち運びに使用される箱に関するものであって、特に、当該箱内部の温度の上昇を防ぐ保冷体を収納するスペースを設けた保冷体収納スペース付箱に関するものである。
【背景技術】
【０００２】
従来、洋菓子店において、ケーキなどの生菓子を販売する際、持ち運びに便利な紙箱を使用している。この様な紙箱においては、気温が上がる夏場はもちろん、昨今では、冬であっても、多くの場所で暖房が行われているため、生ものであるケーキ等の生菓子が傷まないように、当該紙箱内に保冷体を収納するスペースを設け、当該スペースに保冷体を入れて、当該紙箱内の温度が上昇するのを防ぐようにしている。
【０００３】
前記保冷体の収納スペースは収納物に邪魔にならず、かつ保冷体が前記スペースから脱落しないようにしなければならない。また、冷気は下方へ行くため、紙箱の上部に設けたほうが効率が良い。
【０００４】
この様な紙箱として、後側板の上端縁に折り目を介して開閉自在な天板を設け、前側板の上端縁に折り目を介して内側天板を設け、当該内側天板を紙箱の開口部方向に折り込んで左右側板の上部にある折り込み片で支持して当該開口部を塞ぎ、予め複数の貫通孔を設けた前記内側天板上に保冷体を載置し、その後、前記天板を折り込んで当該紙箱を閉じるというものがある。
【特許文献１】特開２００７−１８６２１８号公報
【考案の開示】
【考案が解決しようとする課題】
【０００５】
しかしながら、前記公開特許公報の特許請求の範囲の請求項１の発明は、開閉天板と内側天板との間にスペースが無いため、保冷体等を収納すると板体を無理に撓らせてスペースを作る必要があった。また、同請求項２以降の発明では、開閉天板と内側天板との間にスペースを設けるため、種々の工夫を要しており、構造が複雑となっている。
【０００６】
この考案は、この様な状況に鑑みて行われたもので、シンプルな構成で開閉蓋と内側天板との間に保冷体を収納するスペースを極めて容易に確保出来る箱を提供して前記課題を解決するものである。
【課題を解決するための手段】
【０００７】
請求項１の考案は、開閉蓋を有する直方体形状の箱において、前記箱本体の一側板の上端縁から折り目を介して内側天板を一体に設け、当該内側天板は箱本体の開口部を閉塞自在とし、また、前記開口部を塞いだ際、当該開口部に係止される構造とし、当該内側天板に複数の切り込みを設け、当該内側天板により箱本体の開口部を閉塞して開口部に係止し、この内側天板上に保冷体を載せ、この上から前記開閉蓋を箱本体に被せて固定した際、当該開閉蓋の押圧により、前記保冷体が押されて前記内側天板の切り込みを拡げて下方へ撓り、前記開閉蓋と内側天板との間に保冷体収納スペースを形成する保冷体収納スペース付箱とした。
【０００８】
請求項２の考案は、前記開閉蓋は箱本体の他側板の上端縁から折り目を介して一体に設けられている前記請求項１に記載の保冷体収納スペース付箱とした。また、請求項３の考案は、前記開閉蓋は箱本体と別体に設けられている前記請求項１に記載の保冷体収納スペース付箱とした。
【０００９】
請求項４の考案は、前記内側天板の複数の切り込みを交差させて設けた前記請求項１、２又は３の何れかに記載の保冷体収納スペース付箱とした。また、請求項５の考案は、前記内側天板の略中央に四角形状の透孔を設け、当該透孔の各角部の頂点に切り込みを入れた前記請求項１、２、３又は４の何れかに記載の保冷体収納スペース付箱とした。
【考案の効果】
【００１０】
請求項１の考案によれば、内側天板に複数の切り込みを設け、その上に保冷体を置き、その上から、開閉蓋を被せて固定したので、開閉蓋に押圧された保冷体によって、前記切り込みが押圧され、当該切り込みが拡大して下方へ撓って、簡単に前記開閉蓋と内側天板との間に保冷体収納スペースを形成することが出来る。それ故、被せられた開閉蓋が極端に上方に突出するようなことが無く、扁平な状態を形成出来、見た目も良く、安定したものと成っている。
【００１１】
また、前記切り込みを拡大するので、保冷体の冷気がより多く、この内側天板の下方へ降下し、収納された商品を冷却することが出来る。また、内側天板に、切り込みを設けるだけで、保冷体収納スペースを確保することが出来るので、シンプルな構成ながら、効果的なものである。
【００１２】
請求項２の考案によれば、前記開閉蓋と内側天板を一体に設けたので、当該開閉蓋を閉じる際、当該開閉蓋を探すことが無く、素早く閉じることが出来、便利である。また、請求項３の考案によれば、前記開閉蓋と箱本体とを別体に設けたので、当該箱の内部に商品等を収納する際に、開閉蓋が邪魔にならず、使い勝手の良いものである。
【００１３】
請求項４の考案によれば、前記内側天板の複数の切り込みを交差させて設けたので、交差させていないものに比べて、シンプルな構成ながら、切り込み箇所がより撓り易く、より容易に保冷体収納スペースを設けることが出来る。
【００１４】
請求項５の考案によれば、前記内側天板の略中央に四角形状の透孔を設け、当該透孔の各角部の頂点に切り込みを入れたので、前記切り込みだけのものより、内側天板が撓り易く、より容易に保冷体収納スペースを設けることが出来る。
【考案を実施するための最良の形態】
【００１５】
開閉蓋を有する直方体形状の箱において、前記箱本体の一側板の上端縁から折り目を介して内側天板を一体に設け、当該内側天板は箱本体の開口部を閉塞自在とし、また、前記開口部を塞いだ際、当該開口部に係止される構造とし、当該内側天板に複数の切り込みを設け、当該内側天板により箱本体の開口部を閉塞して開口部に係止し、この内側天板上に保冷体を載せ、この上から前記開閉蓋を箱本体に被せて固定した際、当該開閉蓋の押圧により、前記保冷体が押されて前記内側天板の切り込みを拡げて下方へ撓り、前記開閉蓋と内側天板との間に保冷体収納スペースを形成する。
【００１６】
これにより、簡単に前記開閉蓋と内側天板との間に保冷体収納スペースを形成することが出来る。
【実施例１】
【００１７】
以下、この考案の実施例１を図に基づいて説明する。
図１は、この考案の実施例１の紙箱の中蓋上に保冷体を載置し、開閉天板を開けた状態の斜視図である。図２は、同紙箱の展開図である。図３は、同紙箱を組み立て、開閉天板を開けた状態の斜視図である。図４は、同紙箱の開閉天板を閉じ、係止固定した状態の斜視図である。図５は、図４における断面図である。
【００１８】
この実施例の組立て紙箱Ａを説明する。
この組立て紙箱Ａの構成を、図２を使って説明する。長方形状の底板１の後端縁に折り目ａを介してこの底板１より小さい長方形状の後側板２を設け、この後側板２の後端縁に折り目ｂを介して前記底板１より大きい長方形状の開閉天板３を設け、この開閉天板３の後端縁の中央に折り目ｃを介して折り込み舌片４を設けている。
【００１９】
前記底板１の前端縁に折り目ｄを介して前記後側板２と同形同大の前側板５を設け、この前側板５の前端縁に折り目ｅを介して前記開閉天板３と略同形同大の長方形状の内側天板６を設け、この内側天板６の前端縁に折り目ｆを介して折り込み片７を設けている。前記折り目ｅの中央に一定長の切り込み８を設け、この切り込み８の中央から前記前側板５側に半円形状の切り欠き９を設けている。また、前記内側天板６の中央に横長の長方形状の開口１０を設け、この開口１０の四隅の角部の頂点から一定長の切り込み１０ａを夫々開口１０の外側へ向けて設けている。
【００２０】
前記底板１の左端縁に折り目ｇを介して横向きの逆さ台形状の左側板１１を設け、この左側板１１の左端縁に折り目ｈを介して折り込み片１２を設け、前記左側板１１の前後の端縁に折り目ｉを介して、横長で先細の四角形状の折り込み板１３を夫々設けている。これらの折り込み板１３の先端部の左端縁には係止切り込み１３ａを夫々設けている。
【００２１】
同様に、前記底板１の右端縁にも折り目ｊを介して前記左側板１１と同形同大の右側板１４を設け、この右側板１４の前後の端縁にも折り目ｋを介して前記折り込み片１３と略同形同大の折り込み板１５を夫々設けている。これらの折り込み板１５では、係止切り込み１５ａは右端縁ではなく、左端縁に設けている。また、この右側板１４の右端縁には折り目ｍを介して前記折り込み片１２と同形同大の折り込み片１６を設けている。
【００２２】
次に、この紙箱Ａを組み立てる。左側板１１及び右側板１４を折り目ｇ、ｊにより底板１側に折り込んで夫々立設し、各折り込み板１３、１５を折り目ｉ、ｋにより底板１側に夫々折り込む、さらに、各折り込み板１３の係止切り込み１３ａに各折り込み板１５の係止切り込み１５ａを夫々差し入れて係止し、これらの各折り込み板１３、１５を夫々接続する。また、各折り込み片１２、１６を折り目ｈ、ｍにより底板１側に折り込む。
【００２３】
続いて、図３に示すように、前側板５を折り目ｄにより、底板１側に折り上げて立設し、さらに、内側天板６を折り目ｅにより折り込んで、前記折り込み片１２、１６及び折り込み板１３、１５上に被せ、この内側天板６の折り込み片７を折り目ｆにより折り込んで前記折り込み板１３、１５に係止する。そして、図1に示すように、この内側天板６の開口１０の上に保冷体Ｂを載置し、この上から、折り目ａによって後側板２を底板１側に折り上げ、そして、図４に示すように、前記開閉天板３を折り目ｂにより折り込んで被せ、この開閉天板３の折り込み片４を切り込み８に差し入れて、この開閉天板３を係止固定する。
【００２４】
これにより、図５に示すように、前記保冷体Ｂは開閉天板３によって押圧され、押圧された保冷体Ｂによって内側天板６も押圧され、この内側天板６の開口１０の切り込み１０ａは夫々拡大されて下方へ撓り、保冷体Ｂを収納するスペースが容易に形成される。それ故、被せられた開閉天板３が極端に上方に突出するようなことが無く、扁平な状態を形成出来、見た目も良く、安定したものと成っている。
【００２５】
また、この紙箱Ａでは、左側板１１、右側板１４に夫々折り込み片１２、１６を設け、これらを底板１側に折り込んでいるので、前記開閉天板３を確実に支持出来、また、当該紙箱Ａ内の冷気が、前記左側板１１及び右側板１４と、開閉天板３との隙間から逃げ難く、当該紙箱Ａ内の冷気を長時間に亘って保持することが出来る。
【００２６】
また、左側板１１及び右側板１４が逆さ台形状となっているので、この紙箱Ａを組立てた際、この紙箱Ａは上部が下部より拡大したテーパー形状となっており、内側天板６が底板１より大きいので、この開閉天板３に切り込み１０ａや開口１０を大きく取れ、保冷体収納スペースをより形成し易いものである。
【００２７】
前記実施例１では、内側天板に設ける、切り込みとして、内側天板６の中央に横長の四角形状の開口１０を設け、この開口１０の四隅の角部の頂点から一定長の切り込み１０ａを夫々設けているが、これに限らず、開閉天板３により保冷体Ｂが押圧されることにより、切り込みが拡大して撓り易いものならば、他の構成のものでももちろん良く、例えば、図６に示すように、内側天板６に、十字型に切り込み１７ａを設けた円形状の透孔１７を複数並設したようなものでもよい。また、紙箱Ａをテーパー形状に設けているが、必ずしも、テーパー形状にする必要は無い。
【実施例２】
【００２８】
この考案の実施例２を説明する。
図７は、この考案の実施例２の紙箱の開閉天板部分の展開図である。図８は、同紙箱の開閉天板を開けた状態の斜視図である。
この実施例２では、開閉天板３を係止する構成が異なり、また、内側天板６には透孔を設けず、切り込みのみを設けたもので、その他の構成は実施例１と同様である。それ故、前記実施例１と異なる構成についてのみ説明する。
【００２９】
この実施例２では、前記図７に示すように、後側板２の後端縁に折り目ｎを介して設けた開閉天板３´の左右の端縁に折り目ｏ、ｐを介して折り込み片１８を夫々設け、これらの各折り込み片１８の先端は一部が斜め折り目ｑ、ｒを介して折り込み貼着片１８ａとなっている。また、この開閉天板３´の後端に折り目ｓを介して折り込み片１９を設け、この折り込み片１９の左右の端縁には折り目ｔ、ｕを介して折り込み貼着片２０を夫々設けている。
【００３０】
この開閉天板３´を組立てるには、折り込み片１８を折り目ｏ、ｐによって開閉天板３´側に折り上げて立設し、各折り込み貼着片１８ａを折り目ｑ、ｒによって谷折りし、折り込み片１９を折り目ｓによって開閉天板３´側に折り上げて立設し、さらに、折り目ｔ、ｕによって各折り込み貼着片２０を開閉天板３´側に折り込み、前記折り込み貼着片１８ａの内側と、折り込み貼着片２０の外側を貼着する。これにより、開閉天板３´の後側、左側、右側の各端縁に立設した連続した周壁２１を形成する。この周壁２１は、前記左右の折り込み片１８を開閉天板３´の上に折り畳み、さらに、前記左右の折り込み片１８の折り目ｑ、ｒを折れば、折り込み片１９が開閉天板３´上に折り畳まれ、扁平と成る。
【００３１】
また、この実施例２の内側天板６´には、中央で交差させた一定長の２本の切り込み２２を設けており、これらの切り込み２２の上に保冷体Ｂを載置する。その後、この上から、前記開閉天板３´を折り目ｎにより折り込み、この開閉天板３´の周壁２１を内側天板６´の対向した端縁に被せて、この開閉天板３´を係止固定する。
【００３２】
これにより、前記保冷体Ｂは開閉天板３´によって押圧され、押圧された保冷体Ｂによって内側天板６´も押圧され、この内側天板６´の切り込み２２は拡大されて下方へ撓り、保冷体Ｂを収納するスペースが容易に形成される。それ故、被せられた開閉天板３´が極端に上方に突出するようなことが無く、扁平な状態を形成出来、見た目も良く、安定したものと成っている。
【００３３】
前記実施例２では、内側天板６´の中央で、一定長の２本の切り込み２２を交差させて設けているが、複数の切り込みとしては、この様な形態に限定するものでは無く、例えば、もっと短い２本の切り込みを交差させ、この様な切り込みを複数、内側天板に設けたようなものでもよい。
【実施例３】
【００３４】
この考案の実施例３を説明する。
図９は、この考案の実施例３の紙箱の別体として設けた開閉蓋と紙箱本体の斜視図である。この図９に示すように、実施例３の紙箱Ｄでは、開閉蓋２３を紙箱本体２４と別体に設けており、その他の構成は前記実施例１と同様である。それ故、前記実施例１と異なる構成についてのみ説明する。
【００３５】
この開閉蓋２３は、四方の端縁を夫々垂下させて連続した周壁２３ａとして設けたものであり、前記紙箱本体２４の上面の開口部には、内側天板２５を折り目ｖを介して折り込み、この内側天板２５の前端縁に折り目ｗを介して設けた折り込み片２６を前側板２７の内側に折り込んで係止し、これらの上から、前記開閉蓋２３を被せて係止固定するものである。
【００３６】
前記実施例１、２、３では、開閉天板３、３´及び開閉蓋２３の係止固定手段として、夫々具体的に記載しているが、開閉天板３、３´及び開閉蓋２３の係止固定手段としては、これらのものに限らず、保冷体Ｂを載置した内側天板６、６´、２５の上に被せて係止固定出来るものなら、他の構成のものでももちろんよい。  
【００３７】
また、組み立て紙箱Ａ、Ｃ、Ｄを用いて説明しているが、この考案が実施出来るのは、これらに記載した組み立て紙箱に限らず、この考案が実施出来る組み立て紙箱なら他の構成のものでもよく、また、組み立て紙箱ではない、紙箱についても採用出来る。さらには、紙箱に限らず、他の材質、例えば、ペット（PET:ポリエチレンテレフタレート）などの合成樹脂など圧力を加えた際、撓る性質を有する材質から成る箱でもよい。
【図面の簡単な説明】
【００３８】
【図１】この考案の実施例１の紙箱の中蓋上に保冷体を載置し、開閉天板を開けた状態の斜視図である。
【図２】この考案の実施例１の紙箱の展開図である。
【図３】この考案の実施例１の紙箱の開閉天板を開けた状態の斜視図である。
【図４】この考案の実施例１の紙箱の開閉天板を閉じ、係止固定した状態の斜視図である。
【図５】この考案の実施例１の紙箱の内側天板上に保冷体を置き、その上から開閉天板を被せて閉じた状態の断面図である。
【図６】この考案の実施例１の他の態様の開閉天板を開けた状態の斜視図である。
【図７】この考案の実施例２の紙箱の開閉天板部分の展開図である。
【図８】この考案の実施例２の紙箱の開閉天板を開けた状態の斜視図である。
【図９】この考案の実施例３の紙箱の別体に設けた開閉蓋と紙箱本体の斜視図である。
【符号の説明】
【００３９】
Ａ    紙箱          Ｂ    保冷体          Ｃ    紙箱
Ｄ    紙箱
１    底板          ２    後側板          ３    開閉天板
４    折り込み舌片  ５    前側板          ６    内側天板
７    折り込み片    ８    切り込み        ９    切り欠き
１０    開口        １１    左側板        １２    折り込み片
１３    折り込み板  １４    右側板        １５    折り込み板
１６    折り込み片  １７    透孔          １８    折り込み片
１９    折り込み片  ２０    折り込み貼着片  ２１    周壁
２２    切り込み    ２３    開閉蓋        ２４    紙箱本体
２５    内側天板    ２６    折り込み片    ２７    前側板
【図１】
0003140488.tif 000003
【図２】
0003140488.tif 000004
【図３】
0003140488.tif 000005
【図４】
0003140488.tif 000006
【図５】
0003140488.tif 000007
【図６】
0003140488.tif 000008
【図７】
0003140488.tif 000009
【図８】
0003140488.tif 000010
【図９】
0003140488.tif 000011